(57)【要約】      （修正有）【課題】組み立ての安定性を保証できる同軸コネクターを提供する。【解決手段】同軸コネクターは、少なくとも金属ハウジング４、絶縁ハウジング５及び導電端子からなる。金属ハウジング４は嵌合接続部４１を備え、嵌合接続部４１の一端縁には、蓋板４２を連接し、絶縁ハウジング５は金属ハウジング４中に設置され、絶縁ハウジング５には穿孔を備える台体５１、穿孔と連通するスリーブ、及び台体５１上に設置し穿孔に近接する圧迫係合ロック部５３を設置する。圧迫係合ロック部５３と台体５１とは相互に蓋し合い、収容空間を形成し、導電端子を収容する。金属ハウジング４と絶縁ハウジング５との間にはそれぞれ第一、第二係合ロック部品を設置する。これにより、金属ハウジング４と絶縁ハウジング５とは、相互に定位され、金属ハウジング４と絶縁ハウジング５との組み立ての安定性を保証することができる。【選択図】図６Ｄ
0003191788.tif 000002
【実用新案登録請求の範囲】
【請求項１】
同軸コネクターであって、金属ハウジング、絶縁ハウジング及び導電端子からなり
金属ハウジングは、嵌合接続部を備え、前記嵌合接続部の一端縁には、蓋板を連接し、
前記絶縁ハウジングは、前記金属ハウジング中に設置し、前記絶縁ハウジングには、穿孔を備える台体、前記穿孔と連通するスリーブ、及び前記台体上に設置し前記穿孔に近接する圧迫係合ロック部を設置し、前記圧迫係合ロック部と前記台体とは相互に蓋し合い、収容空間を形成し、これに前記導電端子を収容し、
前記金属ハウジングと前記絶縁ハウジングとの間には、それぞれ第一、第二係合ロック部品を設置し、これにより前記金属ハウジングと前記絶縁ハウジングとは相互に定位されることを特徴とする同軸コネクター。
【請求項２】
前記第一係合ロック部品は、凹槽構造で、前記第二係合ロック部品は、相互に対応する凸ブロック構造で、
或いは前記第一係合ロック部品は、凸ブロック構造で、前記第二係合ロック部品は、相互に対応する凹槽構造であることを特徴とする請求項１に記載の同軸コネクター。
【請求項３】
前記導電端子は、連接板を備え、前記連接板片側は、前記スリーブ中に設置する接触部品を延伸し、
前記連接板反対側末端は、反対側へと屈折し、圧迫押さえ板を形成し、
前記絶縁ハウジングの収容空間は、前記圧迫係合ロック部或いは前記台体内に進入することを特徴とする請求項１に記載の同軸コネクター。
【請求項４】
前記圧迫押さえ板には、前記連接板より屈折し、しかも順番に連接する第一、第二部材を設置し、
前記第一、第二部材の間には、階段部を設置し、これにより前記第一部材は、前記第二部材に突出し、
前記第二部材には、開口を設置し、前記開口の幅は、前記連接板の幅と等しいか、やや大きく、これにより前記圧迫押さえ板は、前記連接板上に重なって定位され、前記連接板の一部は、前記開口位置に露出することを特徴とする請求項３に記載の同軸コネクター。
【請求項５】
前記圧迫押さえ板は、前記連接板により、前記接触部品の同側へと屈折し、
前記台体には、陥没した第一收容部を設置し、
前記絶縁ハウジングの収容空間は、前記第一收容部より前記台体内に進入し、
前記第一收容部は、前記圧迫押さえ板の第一部材を収容することを特徴とする請求項４に記載の同軸コネクター。
【請求項６】
前記接触部品には、少なくとも１個の弧状部が形成され、
前記弧状部は、少なくとも１個の間隔を備え、
前記弧状部片側と前記連接板との間には、欠口を形成し、
前記圧迫押さえ板の第二部材末端には、加厚セクションを設置し、
前記加厚セクションは、欠口に進入し、係合して定位されることを特徴とする請求項５に記載の同軸コネクター。
【請求項７】
前記圧迫係合ロック部には、陥没した第二收容部を設置し、
前記絶縁ハウジングの収容空間は、前記第二收容部より前記圧迫係合ロック部内に浸入し、
前記第二收容部には、前記導電端子を収容することを特徴とする請求項１〜６の任意の一項に記載の同軸コネクター。
【請求項８】
前記台体と前記圧迫係合ロック部との間には、それぞれ第三、第四係合ロック部品を設置し、
これにより、前記圧迫係合ロック部は、前記台体において定位されることを特徴とする請求項１〜６の任意の一項に記載の同軸コネクター。
【請求項９】
前記第三係合ロック部品は、凹槽構造で、前記第四係合ロック部品は、相互に対応する凸ブロック構造し、
或いは前記第三係合ロック部品は、凸ブロック構造で、前記第四係合ロック部品は、相互に対応する凹槽構造であることを特徴とする請求項８に記載の同軸コネクター。
【請求項１０】
前記連接板の屈折位置には、破孔を形成することを特徴とする請求項１〜６の任意の一項に記載の同軸コネクター。  
【考案の詳細な説明】
【技術分野】
【０００１】
本考案は、同軸コネクターに関し、組み立ての安定性を保証できる同軸コネクターに関する。
【背景技術】
【０００２】
図１及び図２は、それぞれ従来の小型同軸ケーブルの組み立て過程及び組み立て完成後の断面模式図である。
図に示すように、従来の小型同軸ケーブルコネクターは、絶縁ハウジング１及び金属ハウジング２からなる。
【０００３】
絶縁ハウジング１の垂直方向には、やや円筒形を呈する槽体１１を備える。
槽体１１外縁頂端には、圧ストリップ１２を延伸して設置する。
槽体１１内周には、上下に貫通した接合口１３を形成する。
槽体１１片側には、横方向に線台１４を延伸して形成する。
槽体１１には、接触端子１５を設置する。
接触端子１５の底部には、一対の接触片１５１を備え、共に槽体１５の接合口１３に収容される
接触端子１５の頂部には、湾曲した圧片１５２を形成する。
【０００４】
金属ハウジング２の垂直方向には、円筒形のスリーブ体２１を備え、スリーブ体２１内周には、上下に貫通した挟槽２１１を形成する。
しかも、スリーブ体２１片側には、横方向に延伸し、一対の突出した制限アーム２１２を形成する。
スリーブ体２１外縁頂端は延伸し、挟固部２２を設置し、挟固部２２とスリーブ体２１は、プレス製造により一体成形する。
挟固部２２とスリーブ体２１との間には、転回屈折部２３を形成し、挟固部２２は、転回屈折部２３を転回屈折点として、湾曲屈折する。
挟固部２２の両側には、それぞれ一対の第一挟固片２２１、第二挟固片２２２、及び第三挟固片２２３を設置する。
同軸ケーブル３は、内層から外層へと、順番に芯線３１、絶縁層３２、網状編織線３３、及び絶縁表皮３４を備える。
【０００５】
全体の組み立て時には、先ず、絶縁ハウジング１を、接触端子１５も一緒に、金属ハウジング２の挟槽２１１内に入れる。
同時に、絶縁ハウジング１の線台１４は、金属ハウジング２の一対の制限アーム２１２との間に位置される。
次に、同軸ケーブル３を、絶縁ハウジング１頂部に設置し、これにより同軸ケーブル３の芯線３１は、接触端子１５に接触する。
この後、さらに治具を利用し、もともと垂直を呈していた挟固部２２を、水平方向へと曲げ、同軸ケーブル３に対して力を加えて押さえる。
【０００６】
これにより同軸ケーブル３の芯線３１は、挟固部２２、圧ストリップ１２及び接触端子１５の圧片１５２により押さえられて固定され、芯線３１と接触端子１５とは挟まれて固定される。
最後に、挟固部２２両側の第一挟固片２２１、第二挟固片２２２、及び第三挟固片２２３を、それぞれスリーブ体２１の制限アーム２１２、同軸ケーブル３の網状編織線３３、及び同軸ケーブル３の絶縁表皮３４上に、圧迫して包み固定する。
こうして、従来の小型同軸ケーブルコネクターの構造を完成する。
【考案の概要】
【考案が解決しようとする課題】
【０００７】
しかし、上述した考案は使用上に欠点があり、改善する必要がある。その原因は下記の通りである。
【０００８】
絶縁ハウジング１と金属ハウジング２との間には定位構造がないため、絶縁ハウジング１と金属ハウジング２との間の組み立ての安定性を保証することは難しく、一定の外力が加えられると、絶縁ハウジング１と金属ハウジング２は抜けてしまう可能性があり、小型同軸ケーブルコネクターが使用不能となってしまう。
【０００９】
本考案は、前記の問題に鑑みてなされたものであり、その目的は、組み立ての安定性を保証できる同軸コネクターを提供することにある。
【課題を解決するための手段】
【００１０】
本考案の同軸コネクターは、少なくとも金属ハウジング、絶縁ハウジング及び導電端子からなる。
金属ハウジングは、嵌合接続部を備え、嵌合接続部の一端縁には、蓋板を連接する。
絶縁ハウジングは、金属ハウジング中に設置し、絶縁ハウジングには、穿孔を備える台体、穿孔と連通するスリーブ及び台体上に設置し穿孔に近接する圧迫係合ロック部を設置する。
圧迫係合ロック部と台体とは、相互に蓋し合い、収容空間を形成し、これに導電端子を収容する。
【００１１】
金属ハウジングと絶縁ハウジングとの間には、それぞれ第一、第二係合ロック部品を設置し、これにより金属ハウジングと絶縁ハウジングとは相互に定位される。
第一、第二係合ロック部の相互係合ロックの作用により、金属ハウジングと絶縁ハウジングとは、堅固に接合され、組み立ての安定性を保証することができる。
【００１２】
本考案による同軸コネクターは、以下の効果を備える。
1.  金属ハウジングと絶縁ハウジングとの間に設置する第一、第二係合ロック部品により、金属ハウジングと絶縁ハウジングとは、相互に定位され、金属ハウジングと絶縁ハウジングとの組み立ての安定性を保証することができる。
【００１３】
2.  導電端子は、絶縁ハウジングの圧迫係合ロック部と台体との間に収容して設置し、収容空間を利用し、導電端子の一部区域は、圧迫係合ロック部或いは台体内に進入し、定位効果を備えるばかりか、コネクター間は効果的に結合され、高さを下げることもでき、コンパクト化と軽量化のニーズに応えることができる。
【図面の簡単な説明】
【００１４】
【図１】従来の小型同軸ケーブルコネクターの組み立て過程の断面模式図である。
【図２】図１に示すコネクターの組み立て完成時の断面模式図である。
【図３】本考案による同軸コネクターの構造分解図である。
【図４】本考案による絶縁ハウジングの構造立体図である。
【図５】本考案による導電端子の構造立体図である。
【図６Ａ】本考案による同軸コネクターの組み立て過程の構造立体図である。
【図６Ｂ】本考案による同軸コネクターの組み立て過程の構造立体図である。
【図６Ｃ】本考案による同軸コネクターの組み立て過程の構造立体図である。
【図６Ｄ】本考案による同軸コネクターの組み立て過程の構造立体図である。
【図６Ｅ】本考案による同軸コネクターの組み立て過程の構造立体図である。
【図６Ｆ】本考案による同軸コネクターの組み立て過程の構造立体図である。
【図７】本考案による同軸コネクターの構造断面図である。
【図８】本考案による同軸コネクターの組み立て過程の別種の構造図である。
【図９】本考案による絶縁ハウジングの構造立体図である。
【考案を実施するための形態】
【００１５】
（一実施形態）
本考案の一実施形態による同軸コネクターを図面に基づいて説明する。
本考案同軸コネクターの構造分解図である図３に示すように、本考案の同軸コネクターは、少なくとも金属ハウジング４、絶縁ハウジング５及び導電端子６からなる。
【００１６】
金属ハウジング４は、金属板を用いてプレス成形し、円筒状の嵌合接続部４１を備える。
嵌合接続部４１の一端縁には、蓋板４２を連接し、嵌合接続部４１と蓋板４２との間には、転回屈折部４３を形成する。
これにより、蓋板４２は、転回屈折部４３を転回屈折点として、嵌合接続部４１へと屈折し、同軸ケーブル３を固定する機能を実施する。
嵌合接続部４１周囲には、收容空間を形成し、しかもその辺縁には、開口４１１を設置する。
よって、嵌合接続部４１はさらに弾性を備え、抜き差しに便利である。
金属ハウジングの蓋板４２の両側には、相互に対応する第一湾曲アーム４２１、第二湾曲アーム４２２、第三湾曲アーム４２３を設置する。
【００１７】
絶縁ハウジング５は、金属ハウジングの嵌合接続部４１中に設置し、絶縁ハウジング５には、穿孔５１１を備える台体５１、穿孔５１１と連通するスリーブ５２、及び台体上に設置し穿孔５１１に近接する圧迫係合ロック部５３を設置する。
圧迫係合ロック部５３と台体５１とは、相互に蓋し合い、収容空間を形成し、これに導電端子６を収容する。
【００１８】
図４に示すように、台体５１には、陥没した第一收容部５１２を設置する。
絶縁ハウジング５の収容空間は、第一收容部５１２より台体５１内に進入する。
圧迫係合ロック部５３にも、陥没した第二收容部５３１を設置する。而絶縁ハウジングの収容空間由第二收容部５３１伸入於圧迫係合ロック部５３内。
導電端子６は、絶縁ハウジングの圧迫係合ロック部５３と台体５１との間に、設置する。
【００１９】
図３及び図５に示すように、導電端子６は、連接板６１を備える。
連接板６１片側は、スリーブ４２中に設置する接触部品６２を延伸する。
連接板６１反対側末端は、反対側へと屈折し、圧迫押さえ板６３を形成する。
図示の実施形態中では、接触部品６２には、間隔を開けて隣接する少なくとも２個の弧状部６２１を形成する。
一方の弧状部６２１片側と連接板６１との間には、欠口６２２を形成する。
圧迫押さえ板６３は、連接板６１により、接触部品６２の同側へと屈折し、連接板６１の屈折位置には、破孔６４を形成する。
或いは、接触部品は、弧状部を形成し、弧状部の適当な位置には、間隔を形成する。
圧迫押さえ板６３には、連接板６１により屈折し、しかも順番に連接する第一、第二部材６３１、６３２を設置する。
第一、第二部材６３１、６３２の間には、階段部６３３を設置し、これにより第一部材６３１は、第二部材６３２に突出する。
第二部材６３２には、開口６３４を設置し、開口６３４の幅は、連接板６１の幅と等しいか、やや大きく、しかも圧迫押さえ板の第二部材６３２末端には、加厚セクション６３５を形成する。
【００２０】
図６Ａ〜Ｆは、本考案による同軸コネクターの組み立て過程を示す構造立体図である。
先ず、図６Ａ、Ｂに示すように、同軸ケーブル３の芯線３１を、破孔６４に通し、連接板６１上に置き、(例えば、治具を利用し）圧迫押さえ板６３に力を加える。
これにより、圧迫押さえ板の第二部材６３２末端の加厚セクション６３５は、接触部品の欠口６２２に進入し、係合ロックして定位される。
こうして、圧抵部６３は、連接板６１において重なって定位され、同軸ケーブルの芯線３１を、連接板６１と圧抵部６３との間に挟んで定位し、堅固な定位の効果を備える。
しかも、連接板６１の一部は、開口６３４位置に露出し、第二部材６３２は、連接板６１とおおよそ同一平面に位置する。
【００２１】
さらに図６Ｂ、Ｃに示すように、同軸ケーブル３を挟んだ導電端子６を、絶縁ハウジング５に組み立てる。
先ず、導電端子６を、連接板６１により、圧迫係合ロック部５３の第二收容部５３１内部に入れる。
続いて、圧迫係合ロック部５３前端に垂設する台体５１を、導電端子６へと曲げて蓋をする。
図６Ｄに示すように、台体５１と圧迫係合ロック部５３とは、相互ロック作用を備えるため、導電端子は同軸ケーブルの芯線をさらに堅固に挟持することができる。
【００２２】
図６Ｂ、Ｃに示すように、第二收容部５３１の深度は、連接板６１の高さにやや等しい。
これにより、導電端子６は第二收容部５３１内部に収容された後、連接板６１及び第二部材６３２は、第二收容部５３１内に収容され、第一部材６３１だけを露出する。
台体５１は、圧迫係合ロック部５３に蓋をした後、露出している第一部材６３１は、第一收容部５１２内に収容され、導電端子６の部分区域(例えば、連接板及び圧迫押さえ板)は、圧迫係合ロック部５３或いは台体５１内に進入する。
こうして、定位効果を備えるばかりか、絶縁ハウジングと導電端子との間の効果的に結合され、高さを下げることもでき、コンパクト化と軽量化のニーズに応えることができる。
【００２３】
さらに、同軸ケーブル３を挟持した導電端子及び絶縁ハウジング５を、金属ハウジング４に組み立てる。
先ず、絶縁ハウジング５を、その圧迫係合ロック部５３により、金属ハウジング４の蓋板４２上に置く。
金属ハウジングの蓋板４２と圧迫係合ロック部５３との間には、それぞれ第一、第二係合ロック部品４２４、５３２を設置する。
図示の実施形態中では、第一係合ロック部品４２４は、凹槽構造で、第二係合ロック部品５３２は、相互に対応する凸ブロック構造で、第一、第二係合ロック部品４２４、５３２の相互係合ロックの作用により、金属ハウジングと絶縁ハウジングとは、相互に定位される。
【００２４】
図６Eに示すように、続いて、蓋板４２前端に垂設する嵌合接続部４１を、絶縁ハウジング５へと曲げて蓋をする。
或いは、嵌合接続部の第一係合ロック部品は、凸ブロック構造で、嵌合接続部の第二係合ロック部品は、相互に対応する凹槽構造で、同様に、両者の係合ロック定位を形成する。
しかも、第一係合ロック部品４２４の穿孔構造位置には、さらに係合フック部４２５を設置し、図６Ｄに示すように、第二係合ロック部品５３２の凸ブロック構造に係合して定位される。
【００２５】
最後に、金属ハウジングの蓋板４２両側に設置する第一湾曲アーム４２１を、曲げて、嵌合接続部４１上に挟持して固定する。
第二湾曲アーム４２２は屈折して、同軸ケーブル３の網状編織線３３上に挟持して固定される。
第三湾曲アーム４２３は、屈折して、同軸ケーブル３の絶縁表皮３４上に挟持して固定される。
図６Ｆに示すように、こうして小型同軸コネクターの構造を完成させることができる。
【００２６】
組み立て完成後の本考案コネクターは、一般コネクターの連接作用を備える。
図７に示すように、その絶縁ハウジングの圧迫係合ロック部５３は、導電端子６と金属ハウジング４との間に位置し、絶縁作用を備える。
金属ハウジング４の第二湾曲アーム４２２と同軸ケーブル３の網状編織線３３とは、相互に挟んで包み固定し、アース作用を備える。
同軸ケーブル３の芯線３１は、導電端子６を経由し、穿孔５１１を通って、他の物件(例えば、板端コネクター７)と電気的に連接する。
【００２７】
導電端子は、絶縁ハウジングの圧迫係合ロック部と台体との間に収容して設置し、収容空間を利用し、導電端子の部分区域を、圧迫係合ロック部或いは台体内に進入させる。
こうして、定位効果を備えるばかりか、コネクター間は効果的に結合され、高さを下げることもでき、コンパクト化と軽量化のニーズに応えることができる。
【００２８】
さらに、同軸ケーブルの芯線は、連接板と圧抵部との間に挟んで定位され、しかも芯線は、連接板位置より屈折位置の破孔に進入し、芯線に対する固定の効果を強化することができる。
こうして、同軸ケーブルの芯線と導電端子との電気的連接の安定性を保証し、信号の伝送時に、信号のゆがみがおき難く、信号伝送の品質を確保することができる。
【００２９】
（他の実施形態）
本考案のコネクターは、図６Ａ〜Ｆに示す方式により、組み立てを行う以外に、図８に示すように、導電端子６及び絶縁ハウジング５を、金属ハウジング４の蓋板４２上に置き、同軸ケーブル３の芯線３１を破孔６４に通して連接板６１上に置き、金属ハウジングの嵌合接続部４１に(例えば、治具を利用)力を加え、同時に、絶縁ハウジングの台体５１及び導電端子の圧迫押さえ板６３を押さえ、同軸ケーブルの芯線３１を挟持して定位し、最後に、第一湾曲アーム４２１、第二湾曲アーム４２２及び第三湾曲アーム４２３を屈折させて、小型同軸コネクターの構造を完成させることもできる。
【００３０】
さらに、台体５１と圧迫係合ロック部５３との間には、それぞれ第三、第四係合ロック部品５１３、５３３を設置する。
図９に示すように、第三係合ロック部品５１３は、凹槽構造で、第四係合ロック部品５３３は、相互に対応する凸ブロック構造で、第三、第四係合ロック部品５１３、５３３の係合ロック作用により、台体５１と圧迫係合ロック部５３とを堅固に合わせることができる。
或いは、第三係合ロック部品は、凸ブロック構造で、第四係合ロック部品は、相互に対応する凹槽構造とすることができる。
【００３１】
前記の実施形態の説明を総合すると、本考案の操作、使用、及び本考案が生じる効果を充分理解することができる。しかし、以上に述べた実施形態は単に本考案の好ましい実施形態であり、これによって本考案の特許請求の範囲を限定することではない。即ち本考案の特許請求の範囲及び説明書の内容に基づいて、同等効果を有する簡単な変化及び修飾は、全て、本考案の範囲内に属するものとする。
【符号の説明】
【００３２】
ｄ１    幅
ｄ２    外径
Ｌ      中心軸線
１      絶縁台体
１１    槽体
１２    圧ストリップ
１３    接合口
１４    線台
１５    接触端子
１５１  接触片
１５２  圧片
２      金属ハウジング
２１    スリーブ体
２１１  挟槽
２１２  制限アーム
２２    挟固部
２２１  第一挟固片
２２２  第二挟固片
２２３  第三挟固片
３      同軸ケーブル
３１    芯線
３２    絶縁層
３３    網状編織線
３４    絶縁表皮
４      金属ハウジング
４１    嵌合接続部
４１１  開口
４２    蓋板
４２１  第一湾曲アーム
４２２  第二湾曲アーム
４２３  第三湾曲アーム
４２４  第一係合ロック部品
４２５  係合フック部
４３    転回屈折部
５      絶縁ハウジング
５１    台体
５１１  穿孔
５１２  第一收容部
５１３  第三係合ロック部品
５２    スリーブ
５３    圧迫係合ロック部
５３１  第二收容部
５３２  第二係合ロック部品
５３３  第四係合ロック部品
６      導電端子
６１    連接板
６２    接触部品
６２１  弧状部
６２２  欠口
６３    圧迫押さえ板
６３１  第一部材
６３２  第二部材
６３３  階段部
６３４  開口
６３５  加厚セクション
６４    破孔
７      板端コネクター
【図１】
0003191788.tif 000003
【図２】
0003191788.tif 000004
【図３】
0003191788.tif 000005
【図４】
0003191788.tif 000006
【図５】
0003191788.tif 000007
【図６Ａ】
0003191788.tif 000008
【図６Ｂ】
0003191788.tif 000009
【図６Ｃ】
0003191788.tif 000010
【図６Ｄ】
0003191788.tif 000011
【図６Ｅ】
0003191788.tif 000012
【図６Ｆ】
0003191788.tif 000013
【図７】
0003191788.tif 000014
【図８】
0003191788.tif 000015
【図９】
0003191788.tif 000016